(57)【特許請求の範囲】
【請求項１】
所定の構図に応じた被写体の配置を示す枠線画像が表示可能なファインダを有するカメラ装置において、
装置本体の所定の軸を中心とする回転方向の傾きを検出する検出手段と、
前記ファインダに表示する前記枠線画像の向きを、前記検出手段により検出された傾きに対応して調整する調整手段と、を備え、
前記調整手段は、前記枠線画像の向きの調整に際して、前記ファインダにおける前記枠線画像の表示位置及び前記枠線画像の形状変化の少なくとも何れか一方の調整を実施することを特徴とするカメラ装置。
【請求項２】
互いに向きが異なる複数の前記枠線画像を記憶する記憶手段を備え、前記調整手段は、前記検出手段により検出された向きに対応する枠線画像を前記記憶手段から呼び出し前記ファインダに表示させることを特徴とする請求項１記載のカメラ装置。
【請求項３】
所定の構図に応じた被写体の配置を示す枠線画像が表示可能なファインダを有するカメラ装置を制御するコンピュータに、
前記ファインダに表示する枠線画像の向きを、装置本体の所定の軸を中心とする回転方向の傾き情報に基づき調整する処理を行わせるとともに、
前記枠線画像の向きの調整に際して、前記ファインダにおける前記枠線画像の表示位置及び前記枠線画像の形状変化の少なくとも何れか一方の調整を実施させるためのプログラムを記録したコンピュータ読取り可能な記録媒体。
【発明の詳細な説明】
【０００１】
【発明の属する技術分野】
本発明は、カメラ装置及び記録媒体に関する。
【０００２】
【従来の技術】
近年、ＣＣＤ等の固体撮像素子を用いて撮像した被写体画像を画像データとしてフラッシュメモリ等の記録媒体に記録する電子スチルカメラが普及している。電子スチルカメラの多くは液晶モニターを備えており、撮影待機状態においては、シャッター操作に関係なく被写体画像を逐次取り込み、それをスルー画像として表示させることによって、液晶モニターを撮影時のフレーミングに使用するビューファインダとして機能させている。
【０００３】
また、かかる電子スチルカメラにおいては、各種の人物撮影のために用意された撮影モードが選択されると、それに適した構図に応じた被写体の配置を示す人型の枠線画像を液晶モニターに表示し、それにより撮影者のフレーミングをガイドするものがあった。
【０００４】
【発明が解決しようとする課題】
しかしながら、前述した枠線画像によってガイドされる構図は、撮影し記録する画像の向きが通常の横向きである場合と縦向きである場合とでは異なることから、撮影者は、前記枠線画像を用いて人物撮影を行うときにはカメラ本体を構える向き、つまりファインダの向きであると同時に記録する画像の向きまでも規定されてしまう。また、事前にカメラ本体の向きを通常の横向きとするのか、縦向きとするのかを先に決めておく必要があることから、例えば撮影に際して、一度決定した向きを変える場合にあっては、枠線画像を変更後の向きに対応するものに切替えるための操作が併せて必要であった。かかることから、前述したフレーミングのガイド機能を利用する場合の使い勝手が必ずしも良いとは言い難かった。
【０００５】
本発明は、かかる従来の課題に鑑みてなされたものであり、枠線画像の表示によるフレーミングのガイド機能の使い勝手を向上させるカメラ装置、及びその制御プログラムが記録された記録媒体を提供することを目的とする。
【０００６】
【課題を解決するための手段】
前記課題を解決するために請求項１の発明にあっては、所定の構図に応じた被写体の配置を示す枠線画像が表示可能なファインダを有するカメラ装置において、装置本体の所定の軸を中心とする回転方向の傾きを検出する検出手段と、前記ファインダに表示する前記枠線画像の向きを、前記検出手段により検出された傾きに対応して調整する調整手段と、を備え、前記調整手段は、前記枠線画像の向きの調整に際して、前記ファインダにおける前記枠線画像の表示位置及び前記枠線画像の形状変化の少なくとも何れか一方の調整を実施することを特徴とした。
【０００７】
かかる構成においては、ファインダに表示される枠線画像の向きが、装置本体の所定の軸を中心とする回転方向の傾きに対応して調整されるため、常に、撮影者が所望する画像の向きに即した構図の枠線画像がファインダに表示可能となる。
【０００８】
また、前記調整手段は、前記枠線画像の向きの調整に際して前記ファインダにおける前記枠線画像の表示位置を調整するものとした。
【０００９】
かかる構成においては、ファインダに表示される枠線画像の向きと共にファインダにおける枠線画像の表示位置が、装置本体の所定の軸を中心とする回転方向の傾きに対応して調整される。
【００１０】
また、前記調整手段は、前記枠線画像の向きの調整に際して前記枠線画像の形状を調整するものとした。
【００１１】
かかる構成においては、ファインダに表示される枠線画像の向きと共にファインダにおける枠線画像の形状が、装置本体の所定の軸を中心とする回転方向の傾きに対応して調整される。
【００１２】
また、請求項２の発明にあっては、互いに向きが異なる複数の前記枠線画像を記憶する記憶手段を備え、前記調整手段は、前記検出手段により検出された向きに対応する枠線画像を前記記憶手段から呼び出し前記ファインダに表示させるものとした。
【００１３】
かかる構成においては、装置本体の所定の軸を中心とする回転方向の傾きに対応する向きの枠線画像が記憶手段から呼び出されてファインダに表示されることにより、ファインダに表示される枠線画像の向きが、装置本体の所定の軸を中心とする回転方向の傾きに対応して調整される。
【００１４】
また、請求項３の発明にあっては、所定の構図に応じた被写体の配置を示す枠線画像が表示可能なファインダを有するカメラ装置を制御するコンピュータに、前記ファインダに表示する枠線画像の向きを、装置本体の所定の軸を中心とする回転方向の傾き情報に基づき調整する処理を行わせるとともに、前記枠線画像の向きの調整に際して、前記ファインダにおける前記枠線画像の表示位置及び前記枠線画像の形状変化の少なくとも何れか一方の調整を実施させるためのプログラムを記録したコンピュータ読取り可能な記録媒体。
【００１５】
【発明の実施の形態】
以下、本発明の一実施の形態を図にしたがって説明する。
（第１の実施の形態）
図１は、本発明にかかる電子スチルカメラ１の外観を示す図であって、同図（ａ）は背面図、同図（ｂ）は平面図、同図(ｃ)は正面図である。
【００１６】
電子スチルカメラ１は、正面側に固定レンズ４、背面側にＴＦＴ液晶モニタ１８を有し、さらに光学ファインダ５１とストロボ１９とを有している。また、電子スチルカメラ１の背面部及び上面部には、電源スイッチ５２、シャッターキー５３、ズーム操作スイッチ５４、録画モード（ＲＥＣモード）と再生モード（ＰＬＡＹモード）の切り替え行う動作モード切り替えスイッチ５５、液晶モニタ・スイッチ５６、フラッシュ・キー５７、セルフタイマ・キー５８、メニュー・キー５９の各種スイッチが設けられている。
【００１７】
図２は、前記電子スチルカメラ１の電気的構成の概略を示すブロック構成図であり、電子スチルカメラ１は、撮像手段であるＣＣＤ２により撮像した画像を圧縮・伸張し、所定フォーマット、例えば統一規格ＤＣＦ（Design rule for Camera File system）やＪＰＥＧ（Joint Photographic Expert Group）に合致するフォーマットの画像ファイルを生成・再生する画像処理機能を備えたＭＰＵ３を中心に構成されている。ＣＣＤ２の受光面には、固定レンズ４、フォーカスレンズ５、絞り６を通過して被写体の光学像が結像される。フォーカスレンズ５はＡＦモータ等からなる駆動機構７に保持されており、ＭＰＵ３からの制御信号によりＡＦドライバー８が出力する駆動信号が駆動機構７に供給されることにより光軸上を前後に移動する合焦動作を行う。絞り６は、ＭＰＵ３からの制御信号に基づき絞り駆動部９が発生する駆動信号により駆動しＣＣＤ２に入射する被写体像の光量を調整する。
また、ＭＰＵ３には、タイミング信号を発生するＴＧ（Timing Generator）１０が接続されており、ＴＧ１０が発生したタイミング信号に基づきＶドライバー１１（垂直方向ドライバー）がＣＣＤ２を駆動し、それに伴いＣＣＤ２により被写体像の輝度に応じたアナログの撮像信号が出力されユニット回路１２へ送られる。ユニット回路１２は、ＣＣＤ２から出力された撮像信号を保持するＣＤＳと、ＣＤＳから撮像信号を供給されるアナログアンプであるゲイン調整アンプ（ＡＧＣ）と、ゲイン調整アンプに増幅され調整されたアナログの撮像信号をデジタル信号に変換するＡ／Ｄ変換器（ＡＤ）とからなり、ＣＣＤ２の出力信号は、ここで黒レベルを合わせてサンプリングされデジタル信号としてＭＰＵ３に送られる。送られたデジタル信号（撮像信号）はＤＲＡＭ１３に一時保存されるとともに、ＭＰＵ３によって各種の画像処理が施された後、最終的には圧縮された映像信号として本発明の記録手段であるフラッシュメモリ（ＦＬＡＳＨ）１４に記録される。記録された映像信号は、必要に応じてＭＰＵ３に読み出され、伸長処理、輝度信号及び色信号の付加等の処理を経てデジタルビデオ信号やアナログビデオ信号に生成される。
【００１８】
さらに、ＭＰＵ３にはＭＲＯＭ１５と、電源回路１６、図１に示した各種のスイッチ群を含む操作キー部１７、前記ＴＦＴ液晶モニター１８、前記ストロボ１９、縦横センサ２０が接続されている。ＭＲＯＭ１５は、ＭＰＵ３の動作プログラムが記録されたプログラムＲＯＭである。また、ＭＲＯＭ１５には撮影時の適正な露出値（ＥＶ）に対応する絞り値（Ｆ）とシャッタースピードとの組み合わせを示すプログラム線図を構成するプログラムＡＥデータが格納されている。
【００１９】
ＭＰＵ３は、内蔵するＲＡＭをワーキングメモリとして前記動作プログラムに従い動作することにより本発明の調整手段として機能する。また、前記プログラム線図に従って前記ＣＣＤ２の電荷蓄積時間や、前記絞り６の開放度、前記ユニット回路１２のゲイン調整アンプ（ＡＧＣ）のゲイン設定等を行う。ＭＰＵ３が設定した電荷蓄積時間はシャッターパルスとして、ＴＧ１０を介してＶドライバー１１に供給され、これに従いＶドライバー１１がＣＣＤ２を駆動することにより電荷蓄積時間すなわち露光時間が制御される。つまりＣＣＤ２は電子シャッターとして機能する。また、ＭＲＯＭ１５に格納された動作プログラムには、オートフォーカス制御に関するプログラムが含まれており、かかるプログラムに基づきＭＰＵ３は、前記フォーカスレンズ５を駆動させピント合わせ（オートフォーカス）を行う。
【００２０】
ＴＦＴ液晶モニター１８は本発明のファインダであり、録画モードにおいては逐次撮像された画像をスルー画像として表示するとともに、後述する横向きフレームや縦向きフレームを表示し、再生モードにおいては前記フラッシュメモリ１４に記録された画像データから生成されたアナログビデオ信号に基づく映像を表示する。ストロボ１９は、シャッターキー５３の操作時（撮影時）に必要に応じて駆動され補助光を発する。縦横センサ２０は本発明の検出手段であり、固定レンズ４（及びフォーカスレンズ５）の光軸を中心とする電子スチルカメラ１の回転方向の傾き角度を検出し、その検出信号をＭＰＵ３へ出力する。
【００２１】
また、ＭＲＯＭ１５は本発明の記憶手段を構成する記録媒体であって、図３に示すように、プログラムデータエリア１５ａ、撮影条件データエリア１５ｂ、付加情報データエリア１５ｃ、見本画像データエリア１５ｄ、フレーム画像データエリア１５ｅの各データ格納領域が確保されている。プログラムデータエリア１５ａには前述した動作プログラムのコードデータの記憶領域、撮影条件データエリア１５ｂは、図４及び図５に示した撮影条件データ１０１の記憶領域である。
【００２２】
撮影条件データ１０１は、電子スチルカメラ１に用意されている撮影モードの１つであるシーンセレクトモードにおいて選択可能な複数のシーン撮影モードに対応した撮影条件を示すデータである。より具体的には、図示したように、シーン番号と、フォーカス制御、シャッター速度、絞り、ＥＶシフト量、感度、・・・といった電子スチルカメラ１において制御可能な複数の制御項目の内容を示すパラメータにより構成されている。
【００２３】
前記付加情報データエリア１５ｃは、前記シーン番号に対応する複数の付加情報データの記憶領域である。付加情報データとしては、例えば「風景と人物を写します。」といったシーン説明、「ズームを使うと背景がキレイにボケます。」といったアドバイス情報、「マクロモードになり、彩度が高めに設定されます。」といった制御説明等の３種類の文字列データによって構成されている。前記見本画像データエリア１５ｄは、各シーン撮影モードでの撮影に適した被写体の見本となる見本画像を構成する複数の画像データの記憶領域である。
【００２４】
前記フレーム画像データエリア１５ｅは、前述したシーン撮影モードとは別に電子スチルカメラ１に用意されているポートレート用の撮影モードで使用されるフレーム画像３０１（図８参照）のデータ記憶領域である。フレーム画像３０１は従来技術において説明したもの同様の人型の枠線画像である。
【００２５】
なお、ＭＲＯＭ１５に記憶されている前述した各種のデータは、その記録内容の保持が可能であれば、別途固定的に設けたもの、若しくは脱着自在に装着可能なＩＣカード等の他の記録媒体に記録される構成にしてもよく、更には、パーソナルコンピュータ等の他の機器から通信等により供給可能な構成としてもよい。
【００２６】
次に、以上の構成からなる電子スチルカメラ１の動作について説明する。まず、撮影に先立ち使用者がメニュー・キー５９により所定の操作を行うと、電子スチルカメラ１は、ＴＦＴ液晶モニター１８に、図８に示したようなモード選択画面２０１を表示する。この画面は、予め用意されている５種類の撮影モード、すなわち「通常」、「ポートレート」、「風景」、「夜景」、「シーンセレクト」の各撮影モードと、所定の機能設定モード（「機能」）とのいずれかを選択させるための画面である。なお画面内には、所定の操作が割り当てられているキーの説明も同時に表示する。
【００２７】
以下、使用者によって、前記モード選択画面２０１から「ポートレート」が選択された後における電子スチルカメラ１の動作を図７のフローチャートに従って説明する。
【００２８】
電子スチルカメラ１は「ポートレート」が選択されると、ＣＣＤ２による画像取り込みを開始し（ステップＳＡ１）、ＭＲＯＭ１５に記録されているフレーム画像３０１のデータをＤＲＡＭ１３の作業領域に読み出す（ステップＳＡ２）。続いて、縦横センサ２０の検出信号（角度情報）に基づき、カメラ本体の傾き状態を確認した後（ステップＳＡ３）、それが通常の横向き状態であるか否かを判断する（ステップＳＡ４）。なお、かかる判断は、例えば通常の横向き状態を０度としたとき、カメラ本体が右回り、又は左回りの傾き角度がそれぞれ４５度未満である状態を横向きとし、それ以外の状態を縦向きとする。
【００２９】
ここで、カメラ本体の向きが横向きであると判断したときには（ステップＳＡ４でＹＥＳ）、図８（ａ）に示したように、ＤＲＡＭ１３の作業領域に読み出してあるフレーム画像３０１を、その基準点Ｏ（本実施の形態では、顔に想到する部分の中央部）をＴＦＴ液晶モニター１８の表示画面１８ａにおける所定の横位置Ａに合わせるよう、ＣＣＤ２により取り込んだ画像に合成する（ステップＳＡ５）。なお、フレーム画像３０１の合成に際して、表示画面１８ａの表示領域に収まらない部分についてはクリッピング処理を施す。そして、合成後の画像をスルー画像としてＴＦＴ液晶モニター１８に表示する（ステップＳＡ８）。また、ステップＳＡ４の判断結果がＮＯであって、カメラ本体の向きが縦向きであると判断したときには、図８（ｂ）に示したように、フレーム画像３０１をいったんカメラ本体の傾き方向と逆方向（図では右方向）に９０度回転させる（ステップＳＡ６）。次に、回転後のフレーム画像３０１を、その基準点ＯをＴＦＴ液晶モニター１８の表示画面１８ａにおける所定の縦位置Ｂに合わせるよう、ＣＣＤ２により取り込んだ画像に合成する（ステップＳＡ７）。しかる後、合成後の画像をスルー画像としてＴＦＴ液晶モニター１８に表示し（ステップＳＡ８）、シャッターキー５３が押されるまで（ステップＳＡ９でＮＯ）、前述したステップＳＡ３〜ＳＡ８の処理を繰り返す。
【００３０】
これにより、シャッターキー５３が押される以前の撮影待機状態においては、撮影者が構えるカメラ本体の向きが横向きから縦向き、また縦向きから横向きに変化すると、図９に示したように、それに合わせてＴＦＴ液晶モニター１８に表示するフレーム画像３０１が横向き（ａ）と縦向き（ｂ，ｃ）とに変化する。したがって、フレーム画像３０１を利用した撮影を行うときであっても、撮影者は画像の向きを規定されることがない。同時に、撮影者は、カメラ本体の向きに対応するして、使用するフレーム画像３０１を選択するといった操作が不要であるため、フレーム画像３０１を利用した撮影時の使い勝手が良い。
【００３１】
また、電子スチルカメラ１は、上記撮影待機状態でシャッターキー５３が押されると（ステップＳＡ９でＹＥＳ）、その時点のカメラ本体の向きが横向きであったときには（ステップＳＡ１０でＹＥＳ）、ＣＣＤ２により取り込んだ画像をそのまま圧縮してフラッシュメモリ１４に記録する（ステップＳＡ１１）。逆に、ステップＳＡ１０の判別結果がＮＯであって、シャッターキー５３が押された時点のカメラ本体の向きが縦向きであったときには、ＣＣＤ２により取り込んだ画像をカメラ本体の傾き方向に相当する方向に９０度回転し、それを圧縮してフラッシュメモリ１４に記録する（ステップＳＡ１２）。
【００３２】
これにより、再生モードでＴＦＴ液晶モニター１８に記録画像を再生して表示するときや、パーソナルコンピュータにコピーして使用したりするときには、それが撮影時に電子スチルカメラ１を縦向きにして撮影された縦向きの画像であったとしても、電子スチルカメラ１を横向きとしたままで、撮影時に意図された正しい縦向きの画像として表示することができる。なお、これとは別に、画像を記録するとき、その圧縮データに、カメラ本体の向きが縦向きであるか否かを示すとともに、縦向きである場合には、左右のいずれが上であるのかを示す画像方向情報を付加して記録するようにしてもよい。その場合、画像を再生するときには、前記画像方向情報に基づき画像の向きを判断し、必要に応じて再生する画像の向きを回転させればよい。
【００３３】
なお、本実施の形態では、撮影待機状態あるときカメラ本体が右回り、又は左回りの傾き角度がそれぞれ４５度未満である状態を横向きとし、それ以外の状態を縦向きと判断し、縦向きであるときフレーム画像３０１を左右に９０度回転させるようにしたが、縦横センサ２０の検出結果に応じてフレーム画像３０１の向きを多段階、又は無段階的に変化させるようにしても良い。但し、その場合には、ステップＳＡ７において、ＣＣＤ２により取り込んだ画像にフレーム画像３０１を合成するときには、その基準点Ｏを合わせる位置についても、縦横センサ２０の検出結果に応じて変化させる必要がある。また、その場合には、撮像した画像を、フレーム画像３０１の向きに応じて回転する処理を施した後、それを記録させたり、また前記画像方向情報を用いる場合には、画像方向情報としてフレーム画像３０１の向き（縦横センサ２０の検出結果）を画像と共に記録させれば、記録画像を、撮影時に意図された正しい向きで再生して表示することができる。
【００３４】
また、本実施の形態では、フレーム画像３０１をＴＦＴ液晶モニター１８に表示させるものについて説明したが、例えば、図１に示したように光学ファインダ５１を有する構成、又は光学ファインダ５１だけしか有していない構成においては、種々の方法により光学ファインダ５１内にフレーム画像３０１を表示又は投影させるようにしてもよい。その場合であっても、フレーム画像３０１の向きを変化させることにより、本実施の形態と同様の効果が得られる。
【００３５】
（第２の実施の形態）
次に、本発明の第２の実施の形態について説明する。本実施の形態は、図１及び図２に示した構成を有する他の電子スチルカメラにおいて、前記ＭＲＯＭ１５に、図８に示したものと若干形状が異なる図１１に示したフレーム画像４０１を構成する画像データと、後述する動作に必要な制御をＭＰＵ３に行わせるためのプログラムが記憶されたものである。
【００３６】
以下、本実施の形態の電子スチルカメラにおいて、使用者によって、前記モード選択画面２０１から「ポートレート」が選択された後における電子スチルカメラ１の動作を図１０のフローチャートに従って説明する。
【００３７】
本実施の形態における電子スチルカメラにおいても、撮影モードとして「ポートレート」が選択されると、ＣＣＤ２による画像取り込みを開始し（ステップＳＢ１）、ＭＲＯＭ１５に記録されているフレーム画像４０１のデータをＤＲＡＭ１３の作業領域に読み出す（ステップＳＢ２）。続いて、縦横センサ２０の検出信号（角度情報）に基づき、カメラ本体の傾き状態を確認した後（ステップＳＢ３）、それが通常の横向き状態であるか否かを判断する（ステップＳＢ４）。本実施の形態においても、かかる判断は、例えば通常の横向き状態を０度としたとき、カメラ本体が右回り、又は左回りの傾き角度がそれぞれ４５度未満である状態を横向きとし、それ以外の状態を縦向きとする。
【００３８】
ここで、カメラ本体の向きが横向きであると判断したときには（ステップＳＢ４でＹＥＳ）、図１１（ａ）に示したように、ＤＲＡＭ１３の作業領域に読み出してあるフレーム画像４０１を、その基準点Ｏ（本実施の形態では、顔に想到する部分の中央部）をＴＦＴ液晶モニター１８の表示画面１８ａにおける所定の横位置Ａに合わせるよう、ＣＣＤ２により取り込んだ画像に合成する（ステップＳＢ５）。そして、合成後の画像をスルー画像としてＴＦＴ液晶モニター１８に表示する（ステップＳＢ９）。なお、ここまでの動作は、第１の実施の形態と同様である。
【００３９】
また、ステップＳＢ４の判断結果がＮＯであって、カメラ本体の向きが縦向きであると判断したときには、図１１（ｂ）に示したように、フレーム画像４０１をいったんカメラ本体の傾き方向と逆方向（図では右方向）に９０度回転させる（ステップＳＢ６）。次に、回転後のフレーム画像４０１を、横方向（図で左右方向）に所定倍率だけ拡大処理した後（ステップＳＢ７）、拡大後のフレーム画像４０１を、その基準点ＯをＴＦＴ液晶モニター１８の表示画面１８ａにおける所定の縦位置Ｂに合わせるよう、ＣＣＤ２により取り込んだ画像に合成する（ステップＳＢ８）。しかる後、合成後の画像をスルー画像としてＴＦＴ液晶モニター１８に表示する（ステップＳＢ９）。そして、シャッターキー５３が押されるまで（ステップＳＢ１０でＮＯ）、前述したステップＳＢ３〜ＳＢ９の処理を繰り返す。
【００４０】
これにより、シャッターキー５３が押される以前の撮影待機状態においては、撮影者が構えるカメラ本体の向きが横向きと縦向きとに変化すると、それに合わせてＴＦＴ液晶モニター１８に表示されるが横向き（ａ）と縦向き（ｂ，ｃ）とに変化する。したがって、第１の実施の形態と同様の効果が得られる。
【００４１】
また、本実施の形態においても、撮影待機状態でシャッターキー５３が押された後には（ステップＳＢ１０でＹＥＳ）、第１の実施の形態におけるステップＳＡ１０〜ＳＡ１２と同様の動作（ステップＳＢ１１〜ＳＢ１３）を行うことにより、記録した画像を、撮影時に意図された正しい向きで再生して表示することができる。
【００４２】
なお、本実施の形態においても、ステップＳＢ６でフレーム画像４０１を回転させるとき、縦横センサ２０の検出結果に応じてフレーム画像４０１の向きを多段階、又は無段階的に変化させるようにしても良い。また、その場合におけるフレーム画像４０１のＣＣＤ２により取り込んだ画像に対する合成位置、及びその他に関する点については第１の実施の形態と同様である。
【００４３】
（第３の実施の形態）
次に、本発明の第２の実施の形態について説明する。本実施の形態は、図１及び図２に示した構成を有する他の電子スチルカメラにおいて、前記ＭＲＯＭ１５に、図１２に示すように、カメラ本体が通常の横向きである場合に用いる第１のフレーム画像５０１ａ（ａ）と、カメラ本体が左方向に９０°回転された場合に用いる第２のフレーム画像５０１ｂ（ｂ）と、カメラ本体が右方向に９０°回転された場合に用いる第３のフレーム画像５０１ｃ（ｃ）とを各々構成する複数の画像データと、後述する動作に必要な制御をＭＰＵ３に行わせるためのプログラムが記憶されたものである。
【００４４】
以下、本実施の形態の電子スチルカメラにおいて、使用者によって、前記モード選択画面２０１から「ポートレート」が選択された後における電子スチルカメラ１の動作を図１０のフローチャートに従って説明する。
【００４５】
本実施の形態における電子スチルカメラにおいては、撮影モードとして「ポートレート」が選択されると、ＣＣＤ２による画像取り込みを開始した後（ステップＳＣ１）、直ちに縦横センサ２０の検出信号（角度情報）に基づき、カメラ本体の傾き状態を確認する（ステップＳＣ２）。次に、ここで確認したカメラ本体の傾き状態（向き）に応じた向きに対応するいずれかのフレーム画像５０１ａ〜フレーム画像５０１ｃのデータをＭＲＯＭ１５から読み出し、より具体的には、通常の横向き状態を０度としたとき、カメラ本体の左回り及び右回りの回転角度が４５度未満のときには第１のフレーム画像５０１ａを、カメラ本体の左回りの回転角度が４５度以上から１３５度未満のときには第２のフレーム画像５０１ｂを、カメラ本体の右回りの回転角度が４５度以上から１３５度未満のときには第３のフレーム画像５０１ｃをＭＲＯＭ１５から読み出し、ＣＣＤ２により取り込んだ画像に合成する（ステップＳＣ３）。そして、合成後の画像をスルー画像としてＴＦＴ液晶モニター１８に表示する（ステップＳＣ４）。そして、これ以後は、シャッターキー５３が押されるまで（ステップＳＣ５でＮＯ）、前述したステップＳＣ２〜ＳＣ４の処理を繰り返す。
【００４６】
これにより、シャッターキー５３が押される以前の撮影待機状態においては、撮影者が構えるカメラ本体の向きが横向きと縦向きとに変化すると、それに合わせてＴＦＴ液晶モニター１８には、カメラ本体の向きに応じた向きのフレーム画像が表示されることとなる。したがって、第１及び第２の実施の形態と同様の効果が得られる。
【００４７】
また、本実施の形態においても、撮影待機状態でシャッターキー５３が押された後には（ステップＳＣ５でＹＥＳ）、第１の実施の形態におけるステップＳＡ１０〜ＳＡ１２と同様の動作（ステップＳＣ６〜ＳＣ８）を行うことにより、記録した画像を、撮影時に意図された正しい向きで再生して表示することができる。
【００４８】
なお、本実施の形態においても、カメラ本体の向きに応じてＴＦＴ液晶モニター１８に第１〜第３のフレーム画像５０１ａ〜ｃの３種類のフレーム画像を表示させる場合について説明したが、ＭＲＯＭ１５に、カメラ本体のより細かな向きに応じた４以上の他種類のフレーム画像の画像データを記憶させておき、それらを縦横センサ２０の検出結果に応じてフレーム画像を選択的にＴＦＴ液晶モニター１８に表示させる構成としても良い。また、第１及び第２の実施の形態と同様に、第１〜第３のフレーム画像５０１ａ〜ｃ等を光学ファインダ５１に表示又は投影させるようにしてもよい。
【００４９】
また、以上説明した各実施の形態においては、ＴＦＴ液晶モニター１８に表示されるフレーム画像がポートレート用であるとともに、画面内に人物の胸から上の部分が配置する構図の撮影をガイドするものである場合について説明したが、本発明は、異なる構図のポートレートをガイドするフレーム画像や、ポートレート以外の撮影モードで使用するフレーム画像を表示させる場合に採用することもできる。また、本発明は被写体画像を画像データとして記録する電子スチルカメラに限らず、従来の銀塩カメラにおいても採用することができる。
【００５０】
【発明の効果】
以上説明したように本発明のカメラ装置においては、常に、撮影者が所望する画像の向きに即した構図の枠線画像がファインダに表示可能である。よって、枠線画像を用いて撮影を行う場合であっても、画像の向きが規定されてしまうことがなく、また、画像の向きを変更する場合であっても、枠線画像を変更後の向きに対応するものに切替えるといった操作が不要となることから、枠線画像の表示によるフレーミングのガイド機能の使い勝手が向上する。また、撮影時における構図選択の自由度を広げることができる。
【図面の簡単な説明】
【図１】本発明の実施の形態に係る電子スチルカメラの外観を示す図である。
【図２】同電子スチルカメラのブロック構成図である。
【図３】プログラムＲＯＭに記録されているデータを示す概念図である。
【図４】同プログラムＲＯＭに記録されている撮影条件データを示す概念図である。
【図５】図４の下に続く図である。
【図６】撮影モードの選択画面を示す図である。
【図７】本発明の第１の実施の形態に係る撮影時の動作を示すフローチャートである。
【図８】同撮影時の動作を示す説明図できる。
【図９】撮影時におけるフレーム画像の変化を示す電子スチルカメラの背面図である。
【図１０】本発明の第２の実施の形態における撮影時の動作を示すフローチャートである。
【図１１】同撮影時の動作を示す説明図できる。
【図１２】本発明の第３の実施の形態においてＭＲＯＭに記憶されているフレーム画像を示す図である。
【図１３】同実施の形態における撮影時の動作を示すフローチャートである。
【符号の説明】
１    電子スチルカメラ
３    ＭＰＵ
１５    ＭＲＯＭ
１８    ＴＦＴ液晶モニタ
２０    縦横センサ
３０１，４０１    フレーム画像
５０１ａ〜５０１ｃ    第１〜第３のフレーム画像
【図１】
0003890897.tif 000002
【図２】
0003890897.tif 000003
【図３】
0003890897.tif 000004
【図４】
0003890897.tif 000005
【図５】
0003890897.tif 000006
【図６】
0003890897.tif 000007
【図７】
0003890897.tif 000008
【図８】
0003890897.tif 000009
【図９】
0003890897.tif 000010
【図１０】
0003890897.tif 000011
【図１１】
0003890897.tif 000012
【図１２】
0003890897.tif 000013
【図１３】
0003890897.tif 000014